(57)【要約】【課題】  回転位置を容易に調整することができる外装部材およびそれを備えた時計を提供する。【解決手段】  雌ねじ部２２が内周面に設けられた外側リング１２と、この外側リング１２内に配置され、雄ねじ部１５が外周面に設けられた内側リング１３と、を備え、雄ねじ部１５と雌ねじ部２２とは、相互に螺合して雄ねじ部１５と雌ねじ部２２とが相互に乗り越えて噛み合いが外れることにより、外側リング１２と内側リング１３とを回転可能な状態で取り付けた。従って、雄ねじ部１５と雌ねじ部２２とを螺合させて雄ねじ部１５と雌ねじ部２２とが相互に乗り越えるだけで、簡単に外側リング１２と内側リング１３とを回転可能に取り付けることができ、この状態で外側リング１２と内側リング１３とを相互に回転させることができるので、外側リング１２と内側リング１３との回転位置を容易にかつ正確に調整することができる。【選択図】        図３
2018116009.tif 000002
【特許請求の範囲】
【請求項１】
第１ねじ部が内周面に設けられた外側部材と、
前記外側部材内に配置され、第２ねじ部が外周面に設けられた内側部材と、
を備え、
前記第１ねじ部と前記第２ねじ部とは、相互に螺合して前記第１ねじ部と前記第２ねじ部とが相互に乗り越えて噛み合いが外れた状態で、前記外側部材と前記内側部材とを固定したことを特徴とする外装部材。
【請求項２】
請求項１に記載の外装部材において、前記第１ねじ部は前記外側部材の内周面における下部側にその内周面から内部側に突出して設けられ、前記第２ねじ部は前記内側部材の外周面における上部側にその外周面から外部側に突出して設けられていることを特徴とする外装部材。
【請求項３】
請求項２に記載の外装部材において、前記第１ねじ部と前記第２ねじ部とは、その軸方向の長さがほぼ同じ長さで、その両方の長さが前記外側部材と前記内側部材との互いに対面する軸方向の長さよりも短く形成されていることを特徴とする外装部材。
【請求項４】
請求項１〜請求項３のいずれかに記載の外装部材において、前記外側部材と前記内側部材との回転方向の位置を規制する回転規制部を備えていることを特徴とする外装部材。
【請求項５】
請求項１〜請求項４のいずれかに記載の外装部材において、前記内側部材の上端部とこれに対応して前記外側部材の上部に設けられた押え部との間に、弾性部材が配置されていることを特徴とする外装部材。
【請求項６】
請求項１〜請求項５のいずれかに記載の外装部材において、前記第１ねじ部の下部とこれに対応する前記内側部材の内周面との間に設けられ、前記外側部材と前記内側部材とを弾力的に接着する弾性接着剤を備えていることを特徴とする外装部材。
【請求項７】
請求項１〜請求項６のいずれかに記載の外装部材において、前記外側部材は、カーボン樹脂で形成されていることを特徴とする外装部材。
【請求項８】
請求項１〜請求項７のいずれかに記載された外装部材を備えていることを特徴とする時計。
【発明の詳細な説明】
【技術分野】
【０００１】
この発明は、腕時計などの電子機器に用いられる外装部材およびそれを備えた時計に関する。
【背景技術】
【０００２】
例えば、腕時計の外装部材においては、特許文献１に記載されているように、腕時計ケースのケース本体に装着する合成樹脂製の第１のリングと、この第１のリングに装着する金属製の第２のリングと、を備えたものが知られている。
【先行技術文献】
【特許文献】
【０００３】
【特許文献１】特開平１０−３９０４９号公報
【０００４】
この種の外装部材は、合成樹脂製の第１のリングの内周面に設けられた内方突起部がケース本体の外周面に設けられた溝部に挿入して係止されることにより、第１のリングがケース本体の外周に取り付けられるように構成されている。この場合、第１のリングは、その下面に設けられた第１の位置規制部がケース本体の上面に設けられた規制穴に挿入することにより、ケース本体に対する回転が規制されている。
【０００５】
また、この外装部材は、金属製の第２のリングの内周面に設けられた係合突起部が第１のリングの外周面に設けられた外方突起部を乗り越えることにより、第２のリングの係合突起部が第１のリングの外方突起部に係合して、第２のリングが第１のリングに取り付けられるように構成されている。この場合、第２のリングは、その外周部に設けられた切欠き部に第１のリングの外周に設けられた第２の位置規制部が係合することにより、第１のリングに対する回転が規制されている。
【発明の概要】
【発明が解決しようとする課題】
【０００６】
このような外装部材では、第１のリングがケース本体における外周に取り付けられた際に、ケース本体に対する第１のリングの回転位置が規制され、第２のリングが第１のリングに取り付けられた際に、第１のリングに対する第２のリングの回転位置が規制されてしまうため、第１のリングに対する第２のリングの回転位置を調整することができないという問題がある。
【０００７】
この発明が解決しようとする課題は、回転位置を容易に調整することができる外装部材およびそれを備えた時計を提供することである。
【課題を解決するための手段】
【０００８】
この発明は、第１ねじ部が内周面に設けられた外側部材と、前記外側部材内に配置され、第２ねじ部が外周面に設けられた内側部材と、を備え、前記第１ねじ部と前記第２ねじ部とは、相互に螺合して前記第１ねじ部と前記第２ねじ部とが相互に乗り越えて噛み合いが外れた状態で、前記外側部材と前記内側部材とを固定したことを特徴とする外装部材である。
【発明の効果】
【０００９】
この発明によれば、第１ねじ部と第２ねじ部とを螺合させて第１ねじ部と第２ねじ部とが相互に乗り越えるだけで、簡単に外側部材と内側部材とを回転可能に取り付けることができ、この状態で外側部材と内側部材とを相互に回転させることができるので、外側部材と内側部材との相互の回転位置を容易に調整することができる。
【図面の簡単な説明】
【００１０】
【図１】この発明を腕時計に適用した一実施形態を示した拡大斜視図である。
【図２】図１に示された腕時計の腕時計ケースを示した拡大斜視図である。
【図３】図２に示された腕時計ケースのＡ−Ａ矢視における要部を断面で示した拡大斜視図である。
【発明を実施するための形態】
【００１１】
以下、図１〜図３を参照して、この発明を腕時計に適用した一実施形態について説明する。
この腕時計は、図１〜図３に示すように、腕時計ケース１を備えている。この腕時計ケース１は、ケース本体２と外装部材３とで構成されている。
【００１２】
この腕時計ケース１の上部開口部、つまり外装部材３の上部開口部には、図１に示すように、時計ガラス４が装着されている。この腕時計ケース１の下部、つまりケース本体２の下部には、裏蓋（図示せず）が取り付けられている。この腕時計ケース１の内部、つまりケース本体２の内部には、時計モジュール５が設けられている。
【００１３】
この時計モジュール５は、図１に示すように、指針５ａを運針させて時刻を指示する時計ムーブメント、時刻や日付などの情報を電気光学的に表示する表示部、これらを電気的に駆動する回路部などの時計機能に必要な各種の部品（いずれも図示せず）を備えている。この場合、時計モジュール５の上部には、文字板５ｂが設けられている。この文字板５ｂの外周部には、時字５ｃが等間隔で設けられている。
【００１４】
また、この腕時計ケースのケース本体２における１２時側と６時側とには、図１に示すように、時計バンド（図示せず）を取り付けるためのバンド取付部６がそれぞれ設けられている。この腕時計ケース１のケース本体２における３時側には、竜頭などのスイッチ部７が設けられている。さらに、この腕時計ケース１のケース本体２における２時側、４時側、８時側、および１０時側には、押釦スイッチ８がそれぞれ設けられている。
【００１５】
ところで、ケース本体２は、図１〜図３に示すように、ステンレスやチタンなどの金属によって、全体がほぼリング状に形成されている。すなわち、このケース本体２は、その内周面が円形状に形成されている。このケース本体２の外周面における１２時側と６時側とには、バンド取付部６が外部に突出して設けられている。
【００１６】
また、このケース本体２の外周面における３時側には、図１および図２に示すように、スイッチ部７を保護する一対の保護突起部９が外部に突出して設けられている。これら一対の保護突起部９の間に位置するケース本体２の３時側には、スイッチ部７が取り付けられるスイッチ取付孔７ａが内外に貫通して設けられている。
【００１７】
さらに、このケース本体２の２時側、４時側、８時側、および１０時側には、図２に示すように、押釦スイッチ８がそれぞれ取り付けられる複数の釦取付孔８ａが内外に貫通して設けられている。また、このケース本体２の上端部には、図３に示すように、環状の装着凹部１０が上側および内周側に開放されて設けられている。この装着凹部１０の下側に位置するケース本体２の内周面には、カシメ用の固定溝１１が環状に設けられている。
【００１８】
一方、外装部材３は、図２および図３に示すように、外側部材である外側リング１２と内側部材である内側リング１３とを備えている。内側部材である内側リング１３は、ケース本体２と同様、ステンレスやチタンなどの金属によって、全体がほぼリング状に形成されている。すなわち、この内側リング１３は、その外径がケース本体２の外径とほぼ同じ大きさで、内径がケース本体２の内径とほぼ同じ大きさに形成されている。
【００１９】
この場合、内側リング１３は、図３に示すように、その外周側の上部が切り欠かれていることにより、上面における内周側に取付リング部１４が起立した状態で設けられた構成になっている。この取付リング部１４の外周面における上部側には、その下側のほぼ半分を除いて、第２ねじ部である雄ねじ部１５が設けられている。この雄ねじ部１５は、そのねじの山部が取付リング部１４の外周面よりも突出し、ねじの谷部が取付リング部１４の外周面と同じか、その外周面よりも僅かに外部側に突出して形成されている。
【００２０】
また、この内側リング１３の下面には、図３に示すように、環状の装着凸部１６が下側に突出して設けられている。この装着凸部１６は、ケース本体２の上端部の装着凹部１０に嵌合するように構成されている。この内側リング１３における装着凸部１６の内周面には、ケース本体２の内周面の上部に嵌合する環状の嵌合突起部１７が内部側と下部側とに突出して設けられている。
【００２１】
この嵌合突起部１７の下面における外周部の所定箇所には、図３に示すように、カシメ部１８がそれぞれケース本体２の固定溝１１に対応して設けられている。これらカシメ部１８は、装着凸部１６がケース本体２の装着凹部１０に嵌合して、嵌合突起部１７がケース本体２の内周面に嵌合した状態で、カシメ加工によってケース本体２の固定溝１１内に食い込んでカシメられることにより、内側リング１３をケース本体２に固定するように構成されている。
【００２２】
一方、外側部材である外側リング１２は、図２および図３に示すように、カーボン樹脂によって、全体がほぼリング状に形成されている。すなわち、この外側リング１２は、その外径が内側リングの外径とケース本体２の外径とほぼ同じ大きさで、内径が内側リング１３の取付リング部１４の内径と同じ大きさに形成されている。
【００２３】
この場合、外側リング１２の内周部には、図３に示すように、内側リング１３の取付リング部１４が配置する切欠き部２０が環状に設けられている。すなわち、この切欠き部２０は、その上端部を除いて、外側リング１２の内周部側と下部側とに開放されて形成されている。これにより、外側リング１２の内周側の上部には、切欠き部２０の上部に位置する押え部２１が内側リング１３の取付リング部１４の上端面に対応して設けられている。
【００２４】
また、この外周リング１２の切欠き部２０の内周面には、図３に示すように、内側リング１３の雄ねじ部１５が螺合する第１ねじ部である雌ねじ部２２が設けられている。この雌ねじ部２２は、切欠き部２０の内周面における下部側のほぼ半分に設けられている。この雌ねじ部２２は、そのねじの山部が切欠き部２０の内周面よりも突出し、ねじの谷部が切欠き部２０の内周面と同じか、その内周面よりも僅かに内部側に突出して形成されている。
【００２５】
この場合、外周リング１２の雌ねじ部２２と内側リング１３の雄ねじ部１５とは、図３に示すように、その軸方向の長さがほぼ同じ長さで、これら雌ねじ部２２と雄ねじ部１５との両方の長さが、外側リング１２と内側リング１３との互いに対面する軸方向の長さ、つまり内側リング１３の取付リング部１４の軸方向（上下方向）の長さよりも少し短い長さで形成されている。
【００２６】
これにより、雄ねじ部１５と雌ねじ部２２とは、図３に示すように、外側リング１２の内部に内側リング１３を配置する際に、雄ねじ部１５と雌ねじ部２２とを相互に螺合させて締め続けることにより、雄ねじ部１５と雌ねじ部２２とが相互に乗り越えて噛み合いが外れるように構成されている。このため、外側リング１２と内側リング１３とは、相互に回転可能な状態で取り付けられるように構成されている。この構成により、外側リング１２と内側リング１３とは、脱落しない。
【００２７】
この場合、外側リング１２のカーボン樹脂は、カーボン繊維層を交互に積層させてエポキシ樹脂などの合成樹脂で固めたものである。すなわち、このカーボン樹脂は、カーボン繊維を一方向に配列させてカーボン繊維層を形成し、このカーボン繊維層の繊維方向を交互に９０度ずつずらして、カーボン繊維層を多数積層させた構成になっている。
【００２８】
この場合、カーボン樹脂は、その最上面に位置するカーボン繊維層が、その繊維方向をその下側に位置するカーボン繊維層の繊維方向に対して４５度ずらして積層されていることにより、網目が現れるようになっている。また、この外側リング１２の予め定められた箇所には、刻印（図示せず）が設けられている。
【００２９】
ところで、外側リング１２と内側リング１３とは、図３に示すように、その回転方向の位置が回転規制部２３によって規制されている。すなわち、この回転規制部２３は、ピン状部材２３ａと、内側リング１３の１２時側に位置する外周側の箇所にその上下に貫通して設けられた貫通孔２３ｂと、外側リング１２の１２時側に位置する外周側の箇所に設けられて、内側リング１３の貫通孔２３ｂに対する凹部状のピン挿入穴２３ｃと、を備えている。
【００３０】
この場合、ピン状部材２３ａは、図３に示すように、その軸方向の長さが貫通孔２３ｂとピン挿入穴２３ｃとの両方の長さよりも少し短い長さで形成されている。また、内側リング１３の貫通孔２３ｂは、その内径がピン状部材２３ａの外径とほぼ同じ大きさに形成されている。同様に、外側リング１２のピン挿入穴２３ｃは、その内径がピン状部材２３ａの外径とほぼ同じ大きさに形成されている。
【００３１】
これにより、回転規制部２３は、図３に示すように、外側リング１２と内側リング１３とが回転可能な状態で取り付けられた状態で、外側リング１２と内側リング１３とを相互に回転させて、内側リング１３の貫通孔２３ｂと外側リング１２のピン挿入穴２３ｃとを対応させた際に、ピン状部材２３ａが内側リング１３の下側から貫通孔２３ｂを通してピン挿入穴２３ｃに挿入されて接着剤（図示せず）によって接着されることにより、外側リング１２と内側リング１３との回転位置を規制するように構成されている。
【００３２】
また、内側リング１３の上端部とこれに対応して外側リング１２の上部に設けられた押え部２１との間には、図３に示すように、弾性部材２４が配置されている。この弾性部材２４は、ウレタン樹脂やシリコーン樹脂などの弾力性を有する合成樹脂によって、平板状のリング形状に形成されている。
【００３３】
すなわち、この弾性部材２４は、図３に示すように、その外径が外側リング１２の切欠き部２０の内径とほぼ同じ大きさで、内径が外側リング１２の押え部２１の内径とほぼ同じ大きさに形成されている。また、この弾性部材２４は、その厚みが、外側リング１２と内側リング１３とが回転可能に取り付けられた状態における雄ねじ部１５の下端部と雌ねじ部２２の上端部との間の間隔とほぼ同じ大きさに形成されている。
【００３４】
これにより、弾性部材２４は、図３に示すように、外側リング１２と内側リング１３とが回転可能な状態で取り付けられた際に、内側リング１３の上端部とこれに対応する外側リング１２の押え部２１との間に弾力的に挟まれるように構成されている。このため、弾性部材２４は、内側リング１３の上端部と外側リング１２の押え部２１とを弾力的に押し広げて、雄ねじ部１５の下端部と雌ねじ部２２の上端部とを弾力的に押し付けると共に、外側リング１２の下面と内側リング１３の上面との間に隙間が生じるように構成されている。
【００３５】
また、雌ねじ部２２の下部とこれに対応する内側リング１３の内周面の下部との間には、図３に示すように、外側リング１２と内側リング１３とを弾力的に接着する弾性接着剤２５が設けられている。この弾性接着剤２５は、乾燥した状態で弾力性を有するものであり、外側リング１２と内側リング１３とを弾力的に接着するように構成されている。
【００３６】
すなわち、この弾性接着剤２５は、図３に示すように、雄ねじ部１５と雌ねじ部２２とが相互に螺合して、雄ねじ部１５と雌ねじ部２２とが相互に乗り越えて噛み合いが外れた際に、外側リング１２の下面と内側リング１３の上面との間に食い込んで配置される共に、外側リング１２と内側リング１３との相互の回転を弾力的に規制するように構成されている。
【００３７】
これにより、弾性接着剤２５は、図３に示すように、外側リング１２の下面と内側リング１３の上面との間に食い込んで配置されることにより、弾性接着剤２５が乾燥した際に、外側リング１２の下面と内側リング１３の上面とを弾力的に押し広げて、雄ねじ部１５の下端部と雌ねじ部２２の上端部とを弾力的に押し付けると共に、外側リング１２と内側リング１３との相互の回転を弾力的に規制するように構成されている。
【００３８】
次に、このような腕時計の腕時計ケース１の作用について説明する。
この腕時計ケース１を組み立てる場合には、まず、外装部材３を組み立てる。この場合には、予め、内側リング１３の取付リング部１４の上端部に弾性部材２４を配置すると共に、内側リング１３の取付リング部１４の外周面における下部に弾性接着剤２５を塗布する。
【００３９】
この状態で、内側リング１３の取付リング部１４を外側リング１２の切欠き部２０の下側に対応させて、取付リング部１４の雄ねじ部１５と切欠き部２０の雌ねじ部２２とを相互に螺合させる。このときには、雄ねじ部１５におけるねじの山部が取付リング部１４の外周面よりも突出し、ねじの谷部が取付リング部１４の外周面と同じか、その外周面よりも僅かに外部側に突出している。また、雌ねじ部２２におけるねじの山部が切欠き部２０の内周面よりも突出し、ねじの谷部が切欠き部２０の内周面と同じか、その内周面よりも僅かに内部側に突出している。
【００４０】
このため、雄ねじ部１５と雌ねじ部２２とが相互に螺合する際には、雄ねじ部１５におけるねじの山部が外側リング１２の切欠き部２０の内周面に接触することがなく、また雌ねじ部２２におけるねじの山部が内側リング１３の取付リング部１４の外周面に接触することがなく、雄ねじ部１５と雌ねじ部２２とが円滑にかつ良好に螺合する。
【００４１】
そして、雄ねじ部１５と雌ねじ部２２とを締め続けると、雄ねじ部１５と雌ねじ部２２とが相互に乗り越えて噛み合いが外れる。この場合、外周リング１２の雌ねじ部２２と内側リング１３の雄ねじ部１５とは、その軸方向の長さがほぼ同じ長さで、これら雌ねじ部２２と雄ねじ部１５との両方の長さが、外側リング１２と内側リング１３との互いに対面する軸方向の長さ、つまり内側リング１３の取付リング部１４の軸方向の長さよりも少し短く形成されている。
【００４２】
このため、雄ねじ部１５と雌ねじ部２２とを相互に螺合させて締め続けると、雄ねじ部１５と雌ねじ部２２とが相互に乗り越えて噛み合いが外れる。これにより、外側リング１２と内側リング１３とが相互に回転可能な状態で取り付けられる。このときには、内側リング１３の上端部とこれに対応する外側リング１２の押え部２１との間に配置された弾性部材２４が内側リング１３の上端部と外側リング１２の押え部２１とを弾力的に押し広げる。
【００４３】
このため、雄ねじ部１５の下端部と雌ねじ部２２の上端部とが弾力的に押し付けられると共に、外側リング１２の下面が内側リング１３の上面から浮き上がって、外側リング１２の下面と内側リング１３の上面との間に隙間が生じる。また、このときには、弾性接着剤２５が外側リング１２の下面と内側リング１３の上面との間に食い込んで配置される。
【００４４】
この状態で、外側リング１２と内側リング１３とを相互に回転させて、外側リング１２と内側リング１３との回転位置を調整して位置合わせする。すると、内側リング１３の貫通孔２３ｂと外側リング１２のピン挿入穴２３ｃとが対応して、外側リング１２のカーボン樹脂の模様としての網目方向が位置合わせされる。
【００４５】
すなわち、カーボン樹脂の網目方向の位置合わせとしては、例えば、１２時と６時とを結ぶ直線に対してカーボン繊維の繊維方向を９０度または４５度の角度で傾けて配置させるか、または１２時と６時とを結ぶ直線に対してカーボン繊維の繊維方向を平行に配置させる。また、このときには、外側リング１２の刻印（図示せず）が位置合わせされる。
【００４６】
このように、外側リング１２と内側リング１３との回転方向が位置合わせされて、内側リング１３の貫通孔２３ｂと外側リング１２のピン挿入穴２３ｃとが対応した際には、回転規制部２３のピン状部材２３ａを内側リング１３の下側から内側リング１３の貫通孔２３ｂに挿入させ、この挿入したピン状部材２３ａを外側リング１２のピン挿入穴２３ｃに挿入させて、接着剤（図示せず）で接着する。これにより、外側リング１２と内側リング１３との回転位置が規制される。
【００４７】
この状態で、弾性接着剤２５が乾燥すると、この乾燥した弾性接着剤２５が外側リング１２の下面と内側リング１３の上面との間に食い込んで配置されていることにより、弾性接着剤２５が外側リング１２の下面と内側リング１３の上面とを弾力的に押し広げると共に、乾燥した弾性接着剤２５によって外側リング１２と内側リング１３との相互の回転が弾力的に規制される。
【００４８】
これにより、外側リング１２内に内側リング１３が取り付けられて、外装部材３が組み立てられる。この外装部材３をケース本体２に取り付ける場合には、外装部材３の内側リング１３の下面に設けられた装着凸部１６を、ケース本体２の上端部の装着凹部１０に嵌合させて、内側リング１３における装着凸部１６の内周面に設けられた環状の嵌合突起部１７をケース本体２の内周面の上部に嵌合させる。
【００４９】
この状態で、外装部材３とケース本体２との回転位置を調整して回転位置を合わせた状態で、嵌合突起部１７の下面における外周部の所定箇所に設けられたカシメ部１８をカシメ加工によってカシメてケース本体２の固定溝１１内に食い込ませる。これにより、内側リング１３がケース本体２に固定されて、外装部材３がケース本体２に取り付けられる。この結果、腕時計ケース１が組み立てられる。
【００５０】
この腕時計ケース１に時計ガラス４を取り付ける場合には、外装部材３の内側リング１３内に時計ガラス４をその上方から装着させる。そして、この腕時計ケース１内に時計モジュール５を組み付ける場合には、予め、ケース本体２における２時側、４時側、８時側、および１０時側に設けられた複数の釦取付孔８ａに押釦スイッチ８をそれぞれ取り付け、この状態でケース本体２の下側から時計モジュール５をケース本体２内に挿入させて配置する。
【００５１】
この状態で、ケース本体２の３時側に設けられたスイッチ取付孔７ａに竜頭などのスイッチ部７を時計モジュール５内に差し込んで取り付ける。そして、ケース本体２の下部に裏蓋（図示せず）を取り付ける。これにより、腕時計が組み立てられる。
【００５２】
このような腕時計では、外装部材３が外部から衝撃を受けた際に、雄ねじ部１５と雌ねじ部２２との噛み合いが外れているため、外装部材３の内側リング１３の上端部とこれに対応する外側リング１２の押え部２１との間に配置された弾性部材２４によって、衝撃を緩衝することができる。これにより、外側リング１２がカーボン樹脂で形成されていても、この外側リング１２が衝撃によって破損しないようにすることができる。
【００５３】
この場合、外部からの衝撃を弾性部材２４によって緩衝する際には、雄ねじ部１５と雌ねじ部２２との噛み合いが外れているため、外側リング１２が内側リング１３に対して押し下げられるが、外側リング１２の下面と内側リング１３の上面との間に弾性接着剤２５が食い込んで配置されていることにより、この弾性接着剤２５の弾力性によって外側リング１２が受けた衝撃を緩衝することにより、これによっても外側リング１２の破損を防ぐことができる。
【００５４】
また、この腕時計では、回転規制部２３のピン状部材２３ａが内側リング１３の貫通孔２３ｂと外側リング１２のピン挿入穴２３ｃとに挿入されて、外側リング１２と内側リング１３との回転位置が規制されていることにより、外装部材３が外部から衝撃を受けても、外側リング１２が内側リング１３に対して回転することがない。
【００５５】
また、このときには、外装部材３の内側リング１３に設けられたカシメ部１８がカシメ加工によってケース本体２の固定溝１１内に食い込んで、内側リング１３がケース本体２に固定されることにより、外装部材３が外部から衝撃を受けた際に、その衝撃がケース本体２に伝わることがなく、またその衝撃によって外装部材３がケース本体２に対して回転することがない。
【００５６】
このように、この腕時計ケース１の外装部材３によれば、雌ねじ部２２が内周面に設けられた外側リング１２と、この外側リング１２内に配置され、雄ねじ部１５が外周面に設けられた内側リング１３と、を備え、雄ねじ部１５と雌ねじ部２２とは、相互に螺合して雄ねじ部１５と雌ねじ部２２とが相互に乗り越えて噛み合いが外れることにより、外側リング１２と内側リング１３とを回転可能な状態で取り付けていることにより、外側リング１２と内側リング１３との回転位置を容易にかつ正確に調整することができる。
【００５７】
すなわち、この腕時計ケース１の外装部材３では、外側リング１２と内側リング１３とを取り付ける際に、雄ねじ部１５と雌ねじ部２２とを螺合させて雄ねじ部１５と雌ねじ部２２とが相互に乗り越えるだけで、簡単に外側リング１２と内側リング１３とを回転可能な状態で取り付けることができ、この状態で外側リング１２と内側リング１３とを相互に回転させることができるので、外側リング１２と内側リング１３との相互の回転位置を容易にかつ正確に調整することができる。
【００５８】
この場合、雌ねじ部２２は外側リング１２の内周面における下部側にその内周面から内部側に突出して設けられ、雄ねじ部１５は内側リング１３の外周面における上部側にその外周面から外部側に突出して設けられていることにより、雌ねじ部２２が内側リング１３の外周面に接触せず、雄ねじ部１５が外側リング１２の内周面に接触することがないため、雄ねじ部１５と雌ねじ部２２とを円滑にかつ確実に螺合させることができる。
【００５９】
すなわち、雄ねじ部１５は、そのねじの山部が取付リング部１４の外周面よりも突出し、ねじの谷部が取付リング部１４の外周面と同じか、その外周面よりも僅かに外部側に突出して設けられ、雌ねじ部２２は、そのねじの山部が切欠き部２０の内周面よりも突出し、ねじの谷部が切欠き部２０の内周面と同じか、その内周面よりも僅かに内部側に突出して設けられていることにより、雄ねじ部１５と雌ねじ部２２とを円滑にかつ確実に螺合させることができる。
【００６０】
すなわち、雄ねじ部１５と雌ねじ部２２とが相互に螺合する際には、雄ねじ部１５におけるねじの山部が外側リング１２の切欠き部２０の内周面に接触することがなく、また雌ねじ部２２におけるねじの山部が内側リング１３の取付リング部１４の外周面に接触することがないため、雄ねじ部１５と雌ねじ部２２とを円滑にかつ確実に螺合させることができる。
【００６１】
また、外周リング１２の雌ねじ部２２と内側リング１３の雄ねじ部１５とは、その軸方向の長さがほぼ同じ長さで、これら雌ねじ部２２と雄ねじ部１５との両方の長さが、外側リング１２と内側リング１３との互いに対面する軸方向の長さ、つまり内側リング１３の取付リング部１４の軸方向の長さよりも少し短く形成されていることにより、雄ねじ部１５と雌ねじ部２２との噛み合いを確実に外すことができる。
【００６２】
すなわち、雌ねじ部２２と雄ねじ部１５とは、これらを螺合させて締め続けた際に、雄ねじ部１５と雌ねじ部２２とが相互に乗り越えて、雄ねじ部１５と雌ねじ部２２との噛み合いを確実にかつ良好に外すことができ、これにより外側リング１２と内側リング１３とを回転可能な状態で取り付けることができる。
【００６３】
また、この外装部材３では、外側リング１２と内側リング１３との回転方向の位置を規制する回転規制部２３を備えていることにより、外側リング１２と内側リング１３とが回転可能に取り付けられていても、外側リング１２と内側リング１３との回転位置を調整した状態で、回転規制部２３によって外側リング１２と内側リング１３との回転方向の位置を確実に規制することができる。
【００６４】
この場合、回転規制部２３は、ピン状部材２３ａと、内側リング１３に設けられた貫通孔２３ｂと、外側リング１２に設けられて内側リング１３の貫通孔２３ｂに対する凹部状のピン挿入穴２３ｃと、を備えていることにより、ピン状部材２３ａを内側リング１３の貫通孔２３ｂと外側リング１２のピン挿入穴２３ｃとに挿入させるだけで、外側リング１２と内側リング１３との回転を確実に規制することができる。
【００６５】
すなわち、この回転規制部２３は、外側リング１２と内側リング１３との回転位置を調整した際に、内側リング１３の貫通孔２３ｂと外側リング１２のピン挿入穴２３ｃとを対応させることができる。このため、外側リング１２と内側リング１３との回転位置を調整した状態で、ピン状部材２３ａを内側リング１３の貫通孔２３ｂと外側リング１２のピン挿入穴２３ｃとに挿入させて、接着剤で接着させることにより、外側リング１２と内側リング１３との回転を確実に規制することができる。
【００６６】
また、この外装部材３では、内側リング１３の上端部とこれに対応して外側リング１２の上部に設けられた押え部２１との間に弾性部材２４が配置されていることにより、この弾性部材２４によって内側リング１３の上端部と外側リング１２の押え部２１とを弾力的に押し広げることができるので、外装部材３が外部から衝撃を受けた際に、その衝撃を弾性部材２４によって緩衝することができ、これにより外側リング１２が衝撃によって破損しないようにすることができる。
【００６７】
また、この外装部材３では、雌ねじ部２２の下部とこれに対応する内側リング１３の内周面との間に設けられ、外側リング１２と内側リング１３とを弾力的に接着する弾性接着剤２５を備えていることにより、この弾性接着剤２５を外側リング１２の下面と内側リング１３の上面との間に食い込ませて配置させることができるので、外側リング１２が外部から衝撃を受けた際に、その衝撃を弾性部材２４と弾性接着剤２５とによって確実にかつ良好に緩衝することができる。
【００６８】
すなわち、この弾性接着剤２５は、乾燥しても弾力性を有していることにより、外側リング１２が外部から衝撃を受け、その衝撃を弾性部材２４が緩衝する際に、外側リング１２が内側リング１３に対して押し下げられて弾性接着剤２５に押し当てられることにより、この弾性接着剤２５の弾力性によって外側リング１２が受けた衝撃を弾性部材２４と共に確実にかつ良好に緩衝することができるので、これによっても外側リング１２の破損を確実に防ぐことができる。
【００６９】
さらに、この外装部材３では、外側リング１２がカーボン樹脂で形成されていることにより、外側リング１２の硬さを確保することができると共に、外側リング１２の重量を軽くすることができ、これにより外装部材３の重量を軽くすることができると共に、腕時計ケース１の重量を軽くすることができる。
【００７０】
すなわち、カーボン樹脂は、カーボン繊維層を交互に積層させてエポキシ樹脂などの合成樹脂で固めたものであり、カーボン繊維を一方向に配列させてカーボン繊維層を形成し、このカーボン繊維層の繊維方向を交互に９０度ずつずらして、カーボン繊維層を多数積層させた構成であるから、硬度が高く、かつ重量を軽くすることができる。
【００７１】
この場合、カーボン樹脂は、その最上面に位置するカーボン繊維層が、その繊維方向を下側のカーボン繊維層の繊維方向に対して４５度ずらして積層されていることにより、網目を模様として良好に現すことができるので、デザイン性を高めることができると共に、腕時計ケース１に対する網目方向を自由に選択して設定することができるので、腕時計ケース１全体のデザイン性を高めることができる。
【００７２】
また、この外側リング１２は、カーボン樹脂で形成されていることにより、硬度が高くステンレスなどの金属材料に対して脆く、かつ雌ねじ部２２の加工上の寸法精度が劣っていても、この雌ねじ部２２を内側リング１３の雄ねじ部１５に確実にかつ良好に螺合させることができると共に、雌ねじ部２２と雄ねじ部１５との噛み合いを外した状態で、外側リング１２と内側リング１３とを取り付けることができ、このため外側リング１２が外部から衝撃を受けても、その衝撃によって雌ねじ部２２が破損しないようにすることができる。
【００７３】
なお、上述した実施形態では、外側リング１２をカーボン樹脂で形成した場合について述べたが、この発明はこれに限らず、脆性材料であれば良く、例えば、セラミック、ガラス（サファイヤガラス）などの材料で形成しても良い。また、第１ねじ部は雌ねじ部であって、第２ねじ部は雄ねじ部であっても良い。
【００７４】
また、上述した実施形態では、腕時計に適用した場合について述べたが、この発明は必ずしも腕時計である必要はなく、例えばトラベルウオッチ、目覚まし時計、置き時計、掛け時計などの各種の時計に適用することができる。
【００７５】
さらに、この発明は必ずしも時計である必要はなく、腕に装着して使用する腕装着装置にも適用することができるほか、歩数計などの携帯型の電子機器にも広く適用することができる。
【００７６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７７】
（付記）
請求項１に記載の発明は、第１ねじ部が内周面に設けられた外側部材と、前記外側部材内に配置され、第２ねじ部が外周面に設けられた内側部材と、を備え、前記第１ねじ部と前記第２ねじ部とは、相互に螺合して前記第１ねじ部と前記第２ねじ部とが相互に乗り越えて噛み合いが外れた状態で、前記外側部材と前記内側部材とを固定したことを特徴とする外装部材である。
【００７８】
請求項２に記載の発明は、請求項１に記載の外装部材において、前記第１ねじ部は前記外側部材の内周面における下部側にその内周面から内部側に突出して設けられ、前記第２ねじ部は前記内側部材の外周面における上部側にその外周面から外部側に突出して設けられていることを特徴とする外装部材である。
【００７９】
請求項３に記載の発明は、請求項２に記載の外装部材において、前記第１ねじ部と前記第２ねじ部とは、その軸方向の長さがほぼ同じ長さで、その両方の長さが前記外側部材と前記内側部材との互いに対面する軸方向の長さよりも短く形成されていることを特徴とする外装部材である。
【００８０】
請求項４に記載の発明は、請求項１〜請求項３のいずれかに記載の外装部材において、前記外側部材と前記内側部材との回転方向の位置を規制する回転規制部を備えていることを特徴とする外装部材である。
【００８１】
請求項５に記載の発明は、請求項１〜請求項４のいずれかに記載の外装部材において、前記内側部材の上端部とこれに対応して前記外側部材の上部に設けられた押え部との間に、弾性部材が配置されていることを特徴とする外装部材である。
【００８２】
請求項６に記載の発明は、請求項１〜請求項５のいずれかに記載の外装部材において、前記第１ねじ部の下部とこれに対応する前記内側部材の内周面との間に設けられ、前記外側部材と前記内側部材とを弾力的に接着する弾性接着剤を備えていることを特徴とする外装部材である。
【００８３】
請求項７に記載の発明は、請求項１〜請求項６のいずれかに記載の外装部材において、前記外側部材は、カーボン樹脂で形成されていることを特徴とする外装部材である。
【００８４】
請求項８に記載の発明は、請求項１〜請求項７のいずれかに記載された外装部材を備えていることを特徴とする時計である。
【符号の説明】
【００８５】
１  腕時計ケース
２  ケース本体
３  外装部材
１２  外側リング
１３  内側リング
１４  取付リング部
１５  雄ねじ部
１８  カシメ部
２０  切欠き部
２１  押え部
２２  雌ねじ部
２３  回転規制部
２３ａ  ピン状部材
２３ｂ  貫通孔
２３ｃ  ピン挿入穴
２４  弾性部材
２５  弾性接着剤
【図１】
2018116009.tif 000003
【図２】
2018116009.tif 000004
【図３】
2018116009.tif 000005